(57)【要約】【課題】  像保持体の停止に際し、現像剤に含まれる各帯電成分の像保持体への移行と形成画像の濃度ムラとが抑制された画像形成装置を提供する。【解決手段】  像保持体の周面に、像の背景となる背景電位を付与する背景電位付与部と、像保持体に像電位を付与することで静電潜像を形成する潜像形成部と、帯電トナーで静電潜像を現像してトナー像を形成する現像部と、像保持体上のトナー像を被転写体上に静電的に転写する転写部と、背景電位付与部への電圧印加と現像部への電位付与とを担う電源部であって、潜像形成部による静電潜像の形成終了後に像保持体の周面が少なくとも１周した後で背景電位付与部への電圧印加を停止する、電圧印加を停止した後は、転写部の作用による像保持体の周面の電位変化に現像部の電位が追随するように現像部の電位を制御する電源部とを備えた。【選択図】        図２
2011203351.tif 000002
【特許請求の範囲】
【請求項１】
少なくとも周面が循環移動する、該周面に像が形成される、該像を保持する像保持体と、
電圧が印加されて該電圧によって前記像保持体の周面に、前記像の背景となる背景電位を付与する背景電位付与部と、
前記像保持体の周面に、前記背景電位とは異なる像電位を付与することで静電潜像を形成する潜像形成部と、
前記像保持体の周面に対向して配置された、少なくとも帯電トナーを含んだ現像剤を有する、前記背景電位と前記像電位との間の現像電位が付与されることで該現像剤中の帯電トナーで前記静電潜像を現像してトナー像を形成する現像部と、
前記像保持体の周面に対向して配置された、該像保持体との間を被転写体が通る、前記像保持体上のトナー像を該被転写体上に静電的に転写する転写部と、
前記背景電位付与部への電圧印加と前記現像部への電位付与とを担う電源部であって、前記潜像形成部による前記静電潜像の形成終了後に前記像保持体の周面が少なくとも１周した後で該背景電位付与部への電圧印加を停止する、該電圧印加を停止した後は、前記転写部の作用による前記像保持体の周面の電位変化に該現像部の電位が追随するように該現像部の電位を制御する電源部と、
を備えたことを特徴とする画像形成装置。
【請求項２】
前記転写部が、前記像保持体の周面に対向していて該周面の循環移動に伴って循環移動する周面を有するものであり、
前記像保持体が、前記転写部の周長の非整数倍の周長を有するものであることを特徴とする請求項１記載の画像形成装置。
【請求項３】
前記背景電位付与部が、前記像保持体の周面に対向していて該周面の循環移動に伴って循環移動する周面を有するものであり、
前記転写部が、前記像保持体の周面に対向していて該周面の循環移動に伴って循環移動する周面であって前記背景電位付与部の周面の表面粗さよりも粗い表面粗さの周面を有するものであることを特徴とする請求項１または２記載の画像形成装置。
【請求項４】
前記電源部が、前記静電潜像の形成終了後、前記背景電位付与部への電圧印加の停止前は、該背景電位付与部への印加電圧を制御することによって前記像保持体の周面の電位を、前記背景電位と、前記転写部の１回の作用で該背景電位から変化する電位との間の電位に制御するものであることを特徴とする請求項１から３のうちいずれか１項記載の画像形成装置。
【請求項５】
前記画像形成装置の環境の温度および湿度のうち少なくとも一方を検知する環境検知部を備え、
前記電源部が、さらに、前記転写部への電位付与を担うものであって、前記静電潜像の形成終了後、該転写部へ付与する電位を、前記環境検知部による検知結果に応じた電位に制御するものであることを特徴とする請求項１から４のうちいずれか１項記載の画像形成装置。
【請求項６】
前記像保持体の周面の循環回数を累積的に計数する計数部を備え、
前記電源部が、さらに、前記転写部への電位付与を担うものであって、前記静電潜像の形成終了後、該転写部へ付与する電位を、前記計数部による計数結果に応じた電位に制御するものであることを特徴とする請求項１から５のうちいずれか１項記載の画像形成装置。
【発明の詳細な説明】
【技術分野】
【０００１】
本発明は、画像形成装置に関する。
【背景技術】
【０００２】
従来より、直流帯電で感光体表面に電荷を付与し、その感光体表面に静電的な像を形成するタイプの画像形成装置が知られている。このタイプの画像形成装置には、感光体の回転を停止させる際に、転写器の電位を利用して感光体表面の除電を行うものも知られている（特許文献１参照）。
【先行技術文献】
【特許文献】
【０００３】
【特許文献１】特開２００１−３５０３８５号公報
【発明の概要】
【発明が解決しようとする課題】
【０００４】
本発明は、像保持体の停止に際し、現像剤に含まれる各帯電成分の像保持体への移行と形成画像の濃度ムラとが抑制された画像形成装置を提供することを目的とする。
【課題を解決するための手段】
【０００５】
請求項１に係る画像形成装置は、
少なくとも周面が循環移動する、この周面に像が形成される、この像を保持する像保持体と、
電圧が印加されてこの電圧によって上記像保持体の周面に、上記像の背景となる背景電位を付与する背景電位付与部と、
上記像保持体の周面に、上記背景電位とは異なる像電位を付与することで静電潜像を形成する潜像形成部と、
上記像保持体の周面に対向して配置された、少なくとも帯電トナーを含んだ現像剤を有する、上記背景電位と上記像電位との間の現像電位が付与されることでこの現像剤中の帯電トナーで上記静電潜像を現像してトナー像を形成する現像部と、
上記像保持体の周面に対向して配置された、この像保持体との間を被転写体が通る、上記像保持体上のトナー像をこの被転写体上に静電的に転写する転写部と、
上記背景電位付与部への電圧印加と上記現像部への電位付与とを担う電源部であって、上記潜像形成部による上記静電潜像の形成終了後に上記像保持体の周面が少なくとも１周した後でこの背景電位付与部への電圧印加を停止する、この電圧印加を停止した後は、上記転写部の作用による上記像保持体の周面の電位変化にこの現像部の電位が追随するようにこの現像部の電位を制御する電源部と、
を備えたことを特徴とする。
【０００６】
請求項２に係る画像形成装置は、
上記転写部が、上記像保持体の周面に対向していてこの周面の循環移動に伴って循環移動する周面を有するものであり、
上記像保持体が、上記転写部の周長の非整数倍の周長を有するものであることを特徴とする。
【０００７】
請求項３に係る画像形成装置は、
上記背景電位付与部が、上記像保持体の周面に対向していてこの周面の循環移動に伴って循環移動する周面を有するものであり、
上記転写部が、上記像保持体の周面に対向していてこの周面の循環移動に伴って循環移動する周面であって上記背景電位付与部の周面の表面粗さよりも粗い表面粗さの周面を有するものであることを特徴とする。
【０００８】
請求項４に係る画像形成装置は、
上記電源部が、上記静電潜像の形成終了後、上記背景電位付与部への電圧印加の停止前は、この背景電位付与部への印加電圧を制御することによって上記像保持体の周面の電位を、上記背景電位と、上記転写部の１回の作用でこの背景電位から変化する電位との間の電位に制御するものであることを特徴とする。
【０００９】
請求項５に係る画像形成装置は、
上記画像形成装置の環境の温度および湿度のうち少なくとも一方を検知する環境検知部を備え、
上記電源部が、さらに、上記転写部への電位付与を担うものであって、上記静電潜像の形成終了後、この転写部へ付与する電位を、上記環境検知部による検知結果に応じた電位に制御するものであることを特徴とする。
【００１０】
請求項６に係る画像形成装置は、
上記像保持体の周面の循環回数を累積的に計数する計数部を備え、
上記電源部が、さらに、上記転写部への電位付与を担うものであって、上記静電潜像の形成終了後、この転写部へ付与する電位を、上記計数部による計数結果に応じた電位に制御するものであることを特徴とする。
【発明の効果】
【００１１】
請求項１に係る画像形成装置によれば、像保持体の停止に際し、現像剤に含まれる各帯電成分の像保持体への移行と形成画像の濃度ムラとを抑制できる。
【００１２】
請求項２、３に係る画像形成装置によれば、像保持体の停止に際し、現像剤に含まれる各帯電成分の像保持体への移行と形成画像の濃度ムラとを一層抑制することができる。
【００１３】
請求項４に係る画像形成装置によれば、像保持体の停止に際し、現像剤に含まれる各帯電成分の像保持体への移行と形成画像の濃度ムラとを効果的に抑制できる。
【００１４】
請求項５、６に係る画像形成装置によれば、像保持体の停止に際し、現像剤に含まれる各帯電成分の像保持体への移行と形成画像の濃度ムラとを安定的に抑制できる。
【図面の簡単な説明】
【００１５】
【図１】画像形成装置の概略構成図である。
【図２】感光体ロールの表面電位と現像バイアスの変化を模式的に示すグラフ図である。
【図３】制御部が参照するテーブルを示す図である。
【図４】空隙比と画像上に発生した斑点のグレードとの関係を示すグラフ図である。
【図５】感光体ロールの表面電位の変化を示すグラフ図である。
【発明を実施するための形態】
【００１６】
以下、本発明の画像形成装置の実施形態について説明する。
【００１７】
図１は、画像形成装置の概略構成図である。
【００１８】
図１に示される画像形成装置１は、矢印Ａ方向に回転する感光体ロール１１、矢印Ｂ方向に回転しながら感光体ロール１１に接触して感光体ロール１１の表面に電荷を付与する帯電ロール１２、電荷が付与された感光体ロール１１の表面に画像の基となる静電潜像を形成するための露光光を照射する露光器１７、露光器１７によって形成された静電潜像を、トナーと磁性キャリアが含まれた現像剤のうちのトナーで現像する現像器１３、矢印Ｄ方向に回転することで、現像器１３によるトナーの現像により形成されたトナー像を、給紙カセット２０から搬送経路Ｒに沿って搬送されてくる記録用紙上に転写する転写ロール１４、トナー像が転写された後に感光体ロール上に残留する残留トナーを掻き落とすクリーニングブレード１５、搬送経路Ｒに沿って記録用紙を搬送する搬送ロール群１８、および、トナー像が転写された記録用紙を加熱および加圧してトナー像を記録用紙に定着する定着器１６を備えている。この画像形成装置１が、本発明の画像形成装置の一実施形態である。
【００１９】
転写ロール１４は、発泡体ロールウレタン製のロールである。
【００２０】
現像器１３は、ハウジング１３２の内部に矢印Ｃ方向に回転する現像ロール１３１を保持しているとともに、トナーと磁性キャリアとを含む現像剤を収容している。磁性キャリアは、トナーとの摩擦によりトナーを摩擦帯電させる電荷付与粒子であり磁性粒子でもある。この現像器１３では、収容している現像剤を攪拌し、この攪拌によりトナーと磁性キャリアとを摩擦させている。この摩擦により、トナーはマイナス極性に帯電し、磁性キャリアはプラスに帯電する。このため、現像器１３では、トナーと磁性キャリアとは電気的に吸着しあって渾然一体になっている。現像ロール１３１は、表面に現像剤を保持し、感光体ロール１１に対向して回転することで、現像剤を感光体ロール１０との間の領域に搬送する。
【００２１】
また、図１に示される画像形成装置１は、詳しくは後述するが、感光体ロール１１の周囲の温度と湿度に応じた信号を出力する環境センサ１９と、環境センサ１９から出力されてくる、温度と湿度を表す信号を受信する制御部１０とを備えている。
【００２２】
また、この制御部１０は、外部から受信した画像信号に基づいて露光器１７による露光光の発光を制御しており、さらには、帯電ロール１２への印加する電圧と、現像ロール１３１に付与する現像バイアスとを制御している。
【００２３】
また、この制御部１０は、感光体ロール１１の累積の回転回数をカウントするカウンタ１０１を有している。
【００２４】
ここで、図１に示される画像形成装置１における画像形成の動作の流れについて簡単に説明する。
【００２５】
まず、矢印Ａ方向に回転する感光体ロール１１には、この感光体ロール１１の表面に接触して回転する帯電ロール１２により背景電位が付与される。次に、露光器１７より感光体ロール１１の表面に形成画像に対応する露光光が照射されて感光体ロール１１の表面が除電されると、その除電された部分の電位が背景電位に対する像電位となる。これら背景電位と像電位とにより、感光体ロール１１の表面には静電的な潜像が形成される。その潜像は、現像部１３によりトナーで現像されて感光体ロール１１上にトナー像が形成される。そのトナー像は、搬送経路Ｒに沿って搬送されてきた用紙上に転写ロール１４によって転写される。用紙上に転写されたトナー像は、定着器１６により用紙上に加圧および定着される。以上が、画像形成装置１における画像形成の流れと各部の動作の簡単な説明である。
【００２６】
現像器１３による、静電的な潜像のトナーによる現像は以下の様にして行われる。
【００２７】
現像ロール１３１は、図示は省略するが、矢印Ａの方向に回転する、中空円筒形状のスリーブと、このスリーブ内部にこのスリーブとは独立に固定された、このスリーブの周回方向に複数の磁石が配列されたマグネットロールとで構成されている。ハウジング１３２内に収容されている現像剤は、スリーブ内部に配備されたマグネットロールからの磁力によってスリーブ表面に吸着される。また、現像ロール１３１には、現像バイアスが付与されている。現像ロール１３１が有するこの現像バイアスと、感光体ロール１１に形成された静電潜像が有する潜像電位との間の電位差によって発生する電界により、現像ロール１３１の表面に吸着された現像剤のうちのトナーが感光体ロール１１の静電潜像側に静電的に引っ張られる。これにより、静電潜像はトナーによって現像される。
【００２８】
また、感光体ロール１１の表面に形成されたトナー像の、転写ロール１４による記録用紙上への転写は、転写ロール１４をプラス極性の定電流制御を行うことで、これら転写ロール１４と感光体ロール１１との間に、転写ロール１４から感光体ロール１１へ向く電界を発生させることにより行われる。
【００２９】
本実施形態の画像形成装置１は、装置構成の単純化のために、帯電ロール１２に対して直流と交流を重畳した電圧に代えて直流電圧のみを印加するものである。
【００３０】
ここで、省電力化を図るために、１連の画像形成ジョブが終了した後は、感光体ロール１１の回転停止に向けた待機モードに入り、直ちに消費電力の大きい帯電ロール１２への電圧印加を停止することが考えられる。
【００３１】
しかしながら、ジョブが終了した後、感光体ロール１１の表面には、直近の画像形成による背景電位が残留したままになっている部分が存在する。そのため、待機モードにおいて直ちに現像ロール１３１への現像バイアスの付与をも停止してしまうと、現像ロール側から感光体ロール側へ向く向きの大きな電界が発生し、現像剤中のキャリアが感光体ロール側に移行してしまう。そうなると、画像形成の再開に悪影響が出るおそれがある。
【００３２】
また、感光体ロール１１の表面には、直近の画像形成による背景電位の他に像電位も存在しており、追随させた現像バイアスと像電位との間にトナーを感光体ロール側に移行させる電界が発生しないとも限らず、トナーが移行するほどの電界が発生しなくても、電位ムラが残った状態で除電がくり返されることになる。したがって、画像形成再開直後の画像には、その電位ムラに起因する濃度ムラが現れるおそれがある。
【００３３】
そこで、画像形成装置１では、感光体ロール１１の回転停止に向けて、転写ロール１４による電界発生機能を利用して、感光体ロール１１の表面に残留している背景電位を除電する。その一方で、現像ロール１３１に対しては、プラス極性に帯電しているキャリアを感光体ロール１１の表面に移行させるほど大きくはない電位差を、次第に除電されてゆく感光体ロール１１の表面電位との間に生じさせるアース側の電位を追随させて付与する。
【００３４】
さらにこの画像形成装置１では、制御部１０からの指示により、感光体ロール１１の停止に向けて、帯電ロール１２への電圧印加を停止する前に、一旦、感光体ロール１１の全面に背景電位を付与することで、感光体ロール１１の表面電位を均一にならし、それから除電を開始する。この帯電ロール１２が、本発明にいう背景電位付与部の一例に相当し、露光器１７が、本発明にいう潜像形成部の一例に相当する。また、現像器１３が、本発明にいう現像部の一例に相当し、転写ロール１４が、本発明にいう転写部の一例に相当する。
【００３５】
図２は、感光体ロールの表面電位と現像バイアスの変化を模式的に示すグラフ図である。
【００３６】
図２には、横軸を時間、縦軸を電位として、感光体ロール１１の表面電位の変化が実線で示され、現像バイアスの変化が点線で示されている。また、図中に示される期間Ｔは、感光体ロール１１の回転周期を示している。
【００３７】
図２のパート(a)には、直近の画像形成終了後、直ちに帯電ロールへの電圧印加が停止され、転写ロール１４による除電が行なわれた場合が示されており、図２のパート（ｂ）には、直近の画像形成終了後、感光体ロール１１の表面電位を一旦、背景電位にしてから、転写ロール１４による除電を行った場合が示されている。
【００３８】
また、図２のパート（ａ）には、直近の画像形成における像電位と背景電位との双方に転写ロール１４による除電（約２００Ｖ）が施されていく様子が示されており、感光体ロール１１に対する転写ロール１４による除電により、もともと背景電位を有していた部位は３周目には０Ｖになっているものの、もともと像電位を有していた部位は０Ｖを超えてプラス側に帯電しており、電位ムラが残っている様子が示されている。
【００３９】
また、図２のパート（ａ）からは、感光体ロール上の背景電位に対して約１５０Ｖの電位差を以って現像バイアスを追随させてはいるものの、感光体ロール上の像電位に対し、この現像バイアスはトナーを感光体ロール１１に移行させる向きの電界を生じさせてしまっていることが読みとれる。
【００４０】
一方、図２のパート（ｂ）には、画像形成終了後、一旦、感光体ロール１１の全周に対して背景電位（−６００Ｖ）を付与した後、帯電ロール１２への電圧印加が停止された場合が示されている。また、現像バイアスが、感光体ロール１１の表面電位に対して約１５０Ｖの電位差を以て追随している様子が示されているが、図２のパート（ａ）に示されるような、トナーを感光体ロール１１に移行させる向きの電界の発生は見られない。また、転写ロール１４による除電中の表面電位には、図２のパート（ａ）に見られるような電位ムラは見られない。画像形成装置１の制御部１０が、本発明にいう電源部の一例に相当する。
【００４１】
次に、画像形成装置１における除電電位（ここでは、２００Ｖ）を安定させるためになされている工夫について説明する。
【００４２】
この制御部１０では、また、感光体ロール１１の近傍に配備された環境センサ１９により検出される温湿度と、カウンタ１０１でカウントされている感光体ロール１１の累積回数との双方に基づいて転写ロール１４の定電流制御の電流値を変更している。
【００４３】
図３は、制御部が参照するテーブルを示す図である。
【００４４】
図３には、温湿度の３つのカテゴリ（Ａ：２８℃／８５％、Ｂ：２２℃／５５％、Ｃ：１０℃／１５％）と、累積回転数の３つのカテゴリ（ａ：２００Ｋ回転未満、ｂ：２００Ｋ回転以上４００Ｋ回転未満、ｃ：４００Ｋ回転以上６００Ｋ回転未満、ｄ：６００Ｋ回転以上）との組み合わせに基づいて転写電流値（μＡ）が設定されたテーブルが示されている。
【００４５】
図３に示されるテーブルからは、温湿度が上昇するほど、また、累積回転数が多くなるほど転写電流値は高く設定されていることが読みとれる。
【００４６】
温湿度の変化により、転写ロール１４の抵抗値は変化する。具体的には、低温・低湿では転写ロール１４の抵抗は高くなる。このため、温湿度が変化しても、感光体ロール１１と転写ロール１４との間に一定の電圧を印加する、すなわち一定の除電性能を維持するには、転写ロール１４の抵抗が高くなる低温低湿時には転写電流値を低下させ、転写ロールの抵抗値が低くなる高温高湿時には転写電流値を上昇させる。
【００４７】
また、感光体ロール１１の累積回転数が多くなるほど、その膜厚は薄くなってくる。膜厚が薄くなると、膜厚が厚い時に比べて表面電位は同じでも表面の電荷量が増加する。すなわち、感光体ロール１１の静電容量が増加する。したがって、感光体ロール１１の薄膜化が進む中で、周回毎の除電電位を一定にするには、表面電荷の除電量を増加させていく必要があり、このためには、転写電流値を上昇させて感光体ロール１１と転写ロール１４との間にかかる電圧を上昇させる必要がある。この環境センサ１９が本発明にいう環境検知部の一例に相当し、カウンタ１０１が、本発明にいう計数部の一例に相当する。
【００４８】
また、画像形成装置１では、直径３０ｍｍの感光体ロール１１の周長９４．２ｍｍが、直径１８ｍｍの転写ロール１４の周長５６．５２ｍｍの１．６７倍となっている。このため、感光体ロール１１が３周程度する間には、転写ロール上の同じ箇所で感光体ロール上の同じ箇所の除電を行うことがなく、除電傾向が出てしまうことが防止される。
【００４９】
また、画像形成装置１では、帯電ロール１２の表面粗さよりも転写ロール１４の表面粗さを大きくしている。以下では、表面粗さを空隙面積で表しており、表面粗さが大きければ空隙面積も大きい。
【００５０】
図４は、空隙比と画像上に発生した斑点のグレードとの関係を示すグラフ図である。
【００５１】
図４には、転写ロール１４の空隙面積に対する帯電ロール１２の空隙面積である空隙比を横軸、発生した斑点グレードを縦軸としてにこれらの関係がグラフで示されている。
【００５２】
図４からは、空隙比が１よりも大きい、すなわち、帯電ロール１２の表面粗さ（空隙面積）よりも転写ロール１４の表面粗さ（空隙面積）を大きくすることで斑点グレードは許容レベルとなり、さらに、空隙比が１０となる場合に斑点グレードが最も改善することが読みとれる。これは、転写ロール１４に発泡性のスポンジ部材等の表面粗さの粗い材料を使用した場合、感光体ロール１１と転写ロール１４との間に生じる微小な空隙により発生する微小な放電ムラによってスポンジ目状の電位ムラが発生するが、帯電ロール１２の表面粗さが転写ロールの表面粗さを下回っていれば、画像形成を再開して帯電ロール１２により表面電位が付与される際に、転写ロール１４の微小空隙により除電時に発生していた除電ムラは均されるからである。
【００５３】
また、図４からは、空隙比を１０より大きくしても効果がないことが読みとれる。そこで、画像形成装置１では、転写ロール１４の空隙面積を６．０５ｌ、帯電ロール１２の空隙面積を０．５９とし、空隙比を約１０にしている。
【００５４】
次に、本発明の画像形成装置の第２実施形態について説明する。
【００５５】
第２実施形態の画像形成装置と第１実施形態の画像形成装置１との間の相違点は、第１実施形態の画像形成装置１では、画像形成終了後の感光体ロール１１の表面電位を帯電ロール１２により、一旦、背景電位（−６００Ｖ）と同じ電位にした後、帯電ロール１２への電圧印加を停止させるのに対し、第２実施形態では、画像形成終了後の感光体ロール１１の表面電位を帯電ロール１２により、一旦、背景電位（−６００Ｖ）と、背景電位（−６００Ｖ）に対して転写ロール１４による除電（約２００Ｖ）が一度なされた後の感光体ロールの表面電位（−４００Ｖ）との間の電位（−４００Ｖ）にした後、帯電ロール１２を停止させる点にある。
【００５６】
図５は、感光体ロールの表面電位の変化を示すグラフ図である。
【００５７】
図５のパート（ａ）には、比較のために、画像形成終了後の感光体ロール１１の表面をを帯電ロール１２により、−３００Ｖで帯電させた後、帯電ロール１２を停止させた場合における感光体ロール１１の表面電位の変化がグラフで示され、図５のパート（ｂ）には、第２実施形態の画像形成装置における感光体ロール１１の表面電位の変化がグラフで示されている。
【００５８】
図５のパート（ａ）に示されるように、画像形成終了後の感光体ロール１１の表面を帯電ロール１２により−３００Ｖに帯電した場合には電位ムラは解消されない。これは、帯電ロール１２による帯電電位を、転写ロール１４による除電電位２００Ｖと背面電位−６００Ｖとから算出される−４００Ｖよりもマイナス側の電位を与えておけば、除電により、背景電位だった所と、像電位であった所との電位差が無くなるからである。そこで、第２実施形態の画像形成装置では、画像形成終了後の感光体ロール１１の表面電位を帯電ロール１２により、一旦、電位−４００Ｖにしている。
【符号の説明】
【００５９】
１  画像形成装置
１０  制御部
１０１  カウンタ
１１  感光体ロール
１２  帯電ロール
１３  現像器
１３１  現像ロール
１４  転写ロール
１６  定着器
１７  露光器
１９  環境センサ
【図１】
2011203351.tif 000003
【図２】
2011203351.tif 000004
【図３】
2011203351.tif 000005
【図４】
2011203351.tif 000006
【図５】
2011203351.tif 000007